(57)【要約】【課題】トレンドグラフ表示によりプロセス入力の詳細な変化傾向を適正に把握でき、またグラフィック表示によりプラント運転に有意な情報を適正に提供できるプラント監視装置を得ることである。【解決手段】表示要求手段は、入力装置から入力点データのトレンドグラフ表示またはグラフィック表示が選択されたときは、前記トレンドグラフ表示手段または前記グラフィック表示手段に対し表示要求すると共に、その入力点データの付加データまたは関連情報が選択されたときは前記トレンドグラフ詳細表示手段または前記グラフィック詳細表示手段に対し、その付加データまたは関連情報の表示要求をする。【選択図】　図１
2004038357.tif 000002
【特許請求の範囲】
【請求項１】
プラントの計測点における入力点データを入力するプラントデータ入力装置と、前記プラントデータ入力装置で入力した入力点データを時間軸に沿って履歴データとして保存するヒストリカルデータ保存部と、前記ヒストリカルデータ保存部に収録された履歴データに基づいて入力点データのトレンドグラフを表示装置に表示するトレンドグラフ表示手段と、前記プラントデータ入力装置で入力された入力点データに関するグラフィック画面の系統図中にその入力点データの状態をリアルタイムでグラフィック表示するグラフィック表示手段と、前記入力点データの監視目的に応じた付加データを前記トレンドグラフ表示手段で表示されたトレンドグラフに付加して表示するトレンドグラフ詳細表示手段と、前記グラフィック表示手段で表示されたグラフィックグラフィック画面に関連するプラント監視に有意な関連情報を表示するグラフィック詳細表示手段と、監視する入力点データをトレンドグラフ表示するかグラフィック表示するかを選択すると共にその入力点データの前記付加データまたは前記関連情報を選択する入力装置と、前記入力装置から入力点データのトレンドグラフ表示またはグラフィック表示が選択されたときは前記トレンドグラフ表示手段または前記グラフィック表示手段に対し表示要求すると共にその入力点データの付加データまたは関連情報が選択されたときは前記トレンドグラフ詳細表示手段または前記グラフィック詳細表示手段に対しその付加データまたは関連情報の表示要求をする表示要求手段とを備えたことを特徴とするプラント監視装置。
【請求項２】
前記トレンドグラフ詳細表示手段は、現在表示しているトレンドグラフの時間スパン中での前記入力点データの最大値または最小値を付加データとして表示するための最大・最小データ取得手段を備えたことを特徴とする請求項１に記載のプラント監視装置。
【請求項３】
前記トレンドグラフ詳細表示手段は、現在表示しているトレンドグラフの時間スパン中での前記入力点データの遷移傾向を付加データとして表示する傾向データ計算手段を備えたことを特徴とする請求項１に記載のプラント監視装置。
【請求項４】
前記トレンドグラフ詳細表示手段は、現在表示しているトレンドグラフの時間スパン中であって、前記入力装置より指定された区間の時間スパン中での前記入力点データの遷移傾向を表示するための区間傾向データ計算手段を備えたことを特徴とする請求項１に記載のプラント監視装置。
【請求項５】
前記トレンドグラフ詳細表示手段は、現在表示しているトレンドグラフの時間スパンの中の入力点のデータから傾向直線を計算し、前記入力点データが目標値に到達する時刻を表示するための傾向予測手段を備えたことを特徴とする請求項１に記載のプラント監視装置。
【請求項６】
前記トレンドグラフ詳細表示手段は、現在表示しているトレンドグラフの時間スパンの中で前記入力点データの平均値を表示するためのこと平均計算手段を備えたことを特徴とする請求項１に記載のプラント監視装置。
【請求項７】
前記トレンドグラフ詳細表示手段は、現在表示しているトレンドグラフの時間スパンの中で入力点のデータに対する運転制限値データを併せて表示するための運転制限値計算手段を備えたことを特徴とする請求項１に記載のプラント監視装置。
【請求項８】
前記トレンドグラフ詳細表示手段は、現在表示しているトレンドグラフの時間スパンの中で入力点のデータと共に過去の同じ区間の入力点の過去データを併せて表示するための過去データ重ね合せ手段を備えたことを特徴とする請求項１に記載のプラント監視装置。
【請求項９】
前記トレンドグラフ詳細表示手段は、現在表示しているトレンドグラフの時間スパンの中でプラント運転上でのイベントの有無を判定し、イベントがあるときはイベントマーカを併せて表示するための接点イベントマーカ重ね合せ手段を備えたことを特徴とする請求項１に記載のプラント監視装置。
【請求項１０】
前記グラフィック詳細表示手段は、前記グラフィック表示手段により表示されたグラフィック画面上に表示されている入力点が他のどの画面あるいは機能で使用されているかを検索し表示するための使用先表示要求手段を備えたことを特徴とする請求項１に記載のプラント監視装置。
【請求項１１】
前記グラフィック詳細表示手段は、前記グラフィック表示手段により表示されたグラフィック画面上に表示されている入力点に関連する入力点を検索し、その関連入力点についてのトレンドグラフ表示を行うための関連ポイントトレンド表示手段を備えたことを特徴とする請求項１に記載のプラント監視装置。
【請求項１２】
前記グラフィック詳細表示手段は、前記グラフィック表示手段により表示されたグラフィック画面上に表示されている機器シンボルと関連付けされた制御ロジック図を検索して表示するための制御ロジック図表示手段を備えたことを特徴とする請求項１記載のプラント監視装置。
【請求項１３】
前記グラフィック詳細表示手段は、前記グラフィック表示手段により表示されたグラフィック画面上に表示されている機器シンボルの音響データを取り込む音響データ取込手段と、前記音響データ取込手段で取り込んだ音響データの波形解析を行い解析データを表示出力する波形解析手段と、前記音響データ取込手段に音響の取り込みを指示すると共に前記波形解析手段に波形の解析を指示する音響制御手段とを備えたことを特徴とする請求項１に記載のプラント監視装置。
【発明の詳細な説明】
【０００１】
【発明の属する技術分野】
本発明は、プラントを監視するプラント監視装置に関する。
【０００２】
【従来の技術】
一般に、プラント監視装置においては、特開平８−２４９０５５号公報や特開２００１−１４０２５号公報に示されるように、プラントの各計測点データの経時変化をトレンドグラフで示すトレンドグラフ表示機能が備わっている。このようなプラント監視装置においては、プラントの各種計測点のプロセス量を入力点データとして入力し時間軸に沿って履歴データとして保存し、保存されたプラントの計測点の履歴データの中から監視をする履歴データを選択してトレンドグラフを表示している。そして、履歴データのトレンドグラフ表示だけでなく、履歴データに基づき理論値を算出し、その理論値を同時に表示して入力点データの異常を監視できるようにしたものも開発されている。
【０００３】
一方、プラント系統図を表示し入力点データの現在の状態を系統図中の機器シンボルに表示するようにしたグラフィック表示機能を備えたプラント監視装置もある。さらに、音響監視が必要な機器に対しては、その周辺に設けられた集音マイクからの音響をプラント監視装置の音響出力装置に出力するようしたものもある。
【０００４】
【発明が解決しようとする課題】
ところが、このようなトレンドグラフ表示機能を備えたプラント監視装置においては、入力点データの理論値からの外れ度合いの監視はできるが、その他の詳細な情報を監視することができない。入力点データによっては異常の監視だけでなく、例えば、入力点データの最大値や最小値、入力点データの平均値、目標値に到るまでの時間等の監視が必要なものもあり、そのような監視もできるプラント監視装置が要望されている。
【０００５】
また、グラフィック表示機能を備えたプラント監視装置では、入力点データに関して得られる情報は大まかな状態表示であるので、より詳細な状態を把握するためには、専用のグラフィック画面や解析手段を用いる必要がある。さらには、所定の機器の音響データを利用する際には、音響を出力するだけであるので詳細な解析ができない。
【０００６】
本発明の目的は、トレンドグラフ表示によりプロセス入力の詳細な変化傾向を適正に把握でき、またグラフィック表示によりプラント運転に有意な情報を適正に提供できるプラント監視装置を得ることである。
【０００７】
【課題を解決するための手段】
請求項１の発明に係るプラント監視装置は、プラントの計測点における入力点データを入力するプラントデータ入力装置と、前記プラントデータ入力装置で入力した入力点データを時間軸に沿って履歴データとして保存するヒストリカルデータ保存部と、前記ヒストリカルデータ保存部に収録された履歴データに基づいて入力点データのトレンドグラフを表示装置に表示するトレンドグラフ表示手段と、前記プラントデータ入力装置で入力された入力点データに関するグラフィック画面の系統図中にその入力点データの状態をリアルタイムでグラフィック表示するグラフィック表示手段と、前記入力点データの監視目的に応じた付加データを前記トレンドグラフ表示手段で表示されたトレンドグラフに付加して表示するトレンドグラフ詳細表示手段と、前記グラフィック表示手段で表示されたグラフィックグラフィック画面に関連するプラント監視に有意な関連情報を表示するグラフィック詳細表示手段と、監視する入力点データをトレンドグラフ表示するかグラフィック表示するかを選択すると共にその入力点データの前記付加データまたは前記関連情報を選択する入力装置と、前記入力装置から入力点データのトレンドグラフ表示またはグラフィック表示が選択されたときは前記トレンドグラフ表示手段または前記グラフィック表示手段に対し表示要求すると共にその入力点データの付加データまたは関連情報が選択されたときは前記トレンドグラフ詳細表示手段または前記グラフィック詳細表示手段に対しその付加データまたは関連情報の表示要求をする表示要求手段とを備えたことを特徴とする。
【０００８】
請求項１の発明に係るプラント監視装置においては、トレンドグラフ表示手段は、ヒストリカルデータ保存部に収録された履歴データに基づいて入力点データのトレンドグラフを表示装置に表示し、グラフィック表示手段は、プラントデータ入力装置で入力された入力点データに関するグラフィック画面の系統図中にその入力点データの状態をリアルタイムでグラフィック表示する。また、トレンドグラフ詳細表示手段は、入力点データの監視目的に応じた付加データをトレンドグラフ表示手段で表示されたトレンドグラフに付加して表示し、グラフィック詳細表示手段は、グラフィック表示手段で表示されたグラフィックグラフィック画面に関連するプラント監視に有意な関連情報を表示する。そして、表示要求手段は、入力装置から入力点データのトレンドグラフ表示またはグラフィック表示が選択されたときは、前記トレンドグラフ表示手段または前記グラフィック表示手段に対し表示要求すると共に、その入力点データの付加データまたは関連情報が選択されたときは前記トレンドグラフ詳細表示手段または前記グラフィック詳細表示手段に対し、その付加データまたは関連情報の表示要求をする。
【０００９】
請求項２の発明に係るプラント監視装置は、請求項１の発明において、前記トレンドグラフ詳細表示手段は、現在表示しているトレンドグラフの時間スパン中での前記入力点データの最大値または最小値を付加データとして表示するための最大・最小データ取得手段を備えたことを特徴とする。
【００１０】
請求項３の発明に係るプラント監視装置は、請求項１の発明において、前記トレンドグラフ詳細表示手段は、現在表示しているトレンドグラフの時間スパン中での前記入力点データの遷移傾向を付加データとして表示する傾向データ計算手段を備えたことを特徴とする。
【００１１】
請求項４の発明に係るプラント監視装置は、請求項１の発明において、前記トレンドグラフ詳細表示手段は、現在表示しているトレンドグラフの時間スパン中であって、前記入力装置より指定された区間の時間スパン中での前記入力点データの遷移傾向を表示するための区間傾向データ計算手段を備えたことを特徴とする。
【００１２】
請求項５の発明に係るプラント監視装置は、請求項１の発明において、前記トレンドグラフ詳細表示手段は、現在表示しているトレンドグラフの時間スパンの中の入力点のデータから傾向直線を計算し、前記入力点データが目標値に到達する時刻を表示するための傾向予測手段を備えたことを特徴とする。
【００１３】
請求項６の発明に係るプラント監視装置は、請求項１の発明において、前記トレンドグラフ詳細表示手段は、現在表示しているトレンドグラフの時間スパンの中で前記入力点データの平均値を表示するためのこと平均計算手段を備えたことを特徴とする。
【００１４】
請求項７の発明に係るプラント監視装置は、請求項１の発明において、前記トレンドグラフ詳細表示手段は、現在表示しているトレンドグラフの時間スパンの中で入力点のデータに対する運転制限値データを併せて表示するための運転制限値計算手段を備えたことを特徴とする。
【００１５】
請求項８の発明に係るプラント監視装置は、請求項１の発明において、前記トレンドグラフ詳細表示手段は、現在表示しているトレンドグラフの時間スパンの中で入力点のデータと共に過去の同じ区間の入力点の過去データを併せて表示するための過去データ重ね合せ手段を備えたことを特徴とする。
【００１６】
請求項９の発明に係るプラント監視装置は、請求項１の発明において、前記トレンドグラフ詳細表示手段は、現在表示しているトレンドグラフの時間スパンの中でプラント運転上でのイベントの有無を判定し、イベントがあるときはイベントマーカを併せて表示するための接点イベントマーカ重ね合せ手段を備えたことを特徴とする。
【００１７】
請求項１０の発明に係るプラント監視装置は、請求項１の発明において、前記グラフィック詳細表示手段は、前記グラフィック表示手段により表示されたグラフィック画面上に表示されている入力点が他のどの画面あるいは機能で使用されているかを検索し表示するための使用先表示要求手段を備えたことを特徴とする。
【００１８】
請求項１１の発明に係るプラント監視装置は、請求項１の発明において、前記グラフィック詳細表示手段は、前記グラフィック表示手段により表示されたグラフィック画面上に表示されている入力点に関連する入力点を検索し、その関連入力点についてのトレンドグラフ表示を行うための関連ポイントトレンド表示手段を備えたことを特徴とする。
【００１９】
請求項１２の発明に係るプラント監視装置は、請求項１の発明において、前記グラフィック詳細表示手段は、前記グラフィック表示手段により表示されたグラフィック画面上に表示されている機器シンボルと関連付けされた制御ロジック図を検索して表示するための制御ロジック図表示手段を備えたことを特徴とする。
【００２０】
請求項１３の発明に係るプラント監視装置は、請求項１の発明において、前記グラフィック詳細表示手段は、前記グラフィック表示手段により表示されたグラフィック画面上に表示されている機器シンボルの音響データを取り込む音響データ取込手段と、前記音響データ取込手段で取り込んだ音響データの波形解析を行い解析データを表示出力する波形解析手段と、前記音響データ取込手段に音響の取り込みを指示すると共に前記波形解析手段に波形の解析を指示する音響制御手段とを備えたことを特徴とする。
【００２１】
【発明の実施の形態】
以下、本発明の実施の形態を説明する。図１は本発明の実施の形態に係るプラント監視装置のブロック構成図である。プラントの計測点における各種プロセス量は、プラントデータ入力装置１１により入力点データとして入力される。プラントデータ入力装置で入力した入力点データは、時間軸に沿って履歴データとして保存するヒストリカルデータ保存部１２に保存されると共に、グラフィック表示手段１３に入力される。グラフィック表示手段１３は、プラントデータ入力装置１１で入力された入力点データに関するグラフィック画面を表示装置１６に表示し、そのグラフィック画面の系統図中にその入力点データの状態をリアルタイムでグラフィック表示する。例えば、各種弁の開閉状態や配管を流れる流量を流量計の計測値として表示する。
【００２２】
ヒストリカルデータ保存部１２に収録された履歴データは、トレンドグラフ表示手段１４およびトレンドグラフ詳細表示手段１５に入力される。トレンドグラフ表示手段１４は、ヒストリカルデータ保存部１２に収録された履歴データに基づいて入力点データのトレンドグラフを表示装置１６に表示する。
【００２３】
また、トレンドグラフ詳細表示手段１５は、ヒストリカルデータ保存部１２に収録された履歴データに基づいて、入力点データの監視目的に応じた付加データをトレンドグラフ表示手段１４で表示されたトレンドグラフに付加して表示し、グラフィック詳細表示手段１６は、グラフィック表示手段１３で表示されたグラフィック画面に関連するプラント監視に有意な関連情報を表示装置１６に表示する。
【００２４】
入力装置１７はオペレータにより操作され、監視する入力点データをトレンドグラフ表示するかグラフィック表示するかを選択すると共に、その入力点データの付加データまたは関連情報を選択する。表示要求手段１８は入力装置１７で選択された内容により起動され、その選択内容に応じて、グラフィック表示手段１３、トレンドグラフ表示手段１４、トレンドグラフ詳細表示手段１５、グラフィック詳細表示手段１６を起動する。
【００２５】
すなわち、表示要求手段１８は、入力装置１７から入力点データのトレンドグラフ表示が選択されたときは、トレンドグラフ表示手段１４に対し表示要求すると共に、その入力点データの付加データが選択されたときは、トレンドグラフ詳細表示手段１５に対し、その付加データまたは関連情報の表示要求をする。
【００２６】
同様に、入力装置１７から入力点データのグラフィック表示が選択されたときは、グラフィック表示手段１３に対し表示要求すると共に、その入力点データの関連情報が選択されたときは、グラフィック詳細表示手段１６に対しその関連情報の表示要求をする。
【００２７】
トレンドグラフ詳細表示手段１５は、最大・最小データ取得手段２０、傾向データ計算手段２１、区間傾向データ計算手段２２、傾向予測手段２３、平均計算手段２４、運転制限値計算手段２５、運転制限値データ保存部２６、過去データ重ね合せ手段２７、区間データ保存手段２８、区間データ保存部２９、イベントマーカ重ね合せ手段３０、イベントマーカ保存手段３１、イベントマーカ保存部３２を備えている。
【００２８】
また、グラフィック詳細表示手段１６は、使用先表示要求手段３４、ポイント／タグデータベース３５、各機能データベース３６、関連ポイントトレンド表示手段３７、関連ポイントデータ保存部３８、制御ロジック図表示手段３９、ＩＢＤデータ保存部（制御ロジック図データ保存部）４０、音響制御手段４１、音響データ取込手段４１、波形解析手段４３を備えており、集音マイク４４で検出した音響データは音響データ取込手段４１を介して音声出力装置４５に出力されるようになっている。
【００２９】
以下、トレンドグラフ詳細表示手段１５の各々の手段について説明する。まず、最大・最小データ取得手段２０について説明する。最大・最小データ取得手段２０は、オペレータが所望の入力点の値の最大値または最小値を取得したいときに使用される。オペレータが入力装置１７により「最大・最小」機能を要求すると、表示要求手段１８から最大・最小機能の要求が発せられ、最大・最小データ取得手段２０が起動される。
【００３０】
最大・最小データ取得手段２０は起動がかけられると、オペレータが表示装置１６に現在表示しているトレンドグラフ表示の最も古い時刻の時刻データ及びその計測点の入力点番号データと、その入力点の最も古い時刻における値をトレンドグラフ表示手段１４から取得する。そして、この時刻から現在までの入力点の値データをそれぞれの入力点ごとに取り出し、最も古い時刻の入力点の値データα０をその次に古い時刻の入力点の値データα１と比較し、次のデータが大きければ、この値α１を最大値データとしてスタックに保存すると共に最小値データ保存用スタックには最古時刻の入力点の値α０を保存する。
【００３１】
また、その次に古い入力点のデータα１が最も古い時刻の入力点データの値α０より小さければこのα１を最小値データとして最小値データ保存用のスタックに保存し、最大値データ保存用スタックには最古時刻の入力点の値α０を保存する。
【００３２】
次に、この次に古い入力点データα２の値をヒストリカルデータ保存部１２から取り出し、最大値データ保存用スタックの値と比較する。そして、「α２＞スタック保存値」であるときは、α２の値で最大値データ保存用スタックの値を更新する。もし、「α２＝スタック保存値」であれば、スタック保存値は更新しない。また、α２の値を最小値データ保存用スタックの値と比較し、「α２＜スタック保存値」の場合のみα２の値で最小値データ保存用スタックの値を更新する。
【００３３】
これを現在時刻のデータまで繰り返し行うことによって、最大値及び最小値を求める。求めたデータは図２に示すような最大・最小値表示ポップアップウィンドウＷ１に表示する。図２に示すように、トレンドグラフ表示手段１４によりトレンドグラフ表示されている入力点データについて、最大値及び最小値をを表示する。最大・最小値表示ポップアップウィンドウＷ１の更新ボタンＢ１は、最大値・最小値を更新するためのボタンであり、消去ボタンＢ２は最大・最小値表示ホップアップウィンドウＷ１を消去するためのボタンである。
【００３４】
このように、最大・最小データ取得手段２０においては、オペレータが入力装置１７により「最大・最小」機能を要求すると、現在表示中のトレンドグラフ中における各入力点の最大値及び最小値を求め、求めたデータは図２に示すようなポップアップウィンドウＷ１に表示する。
【００３５】
これにより、最大値や最小値を求めるにあたり、トレンドグラフ上でカーソルを移動して逐一データ値を読み取り最大値や最小値を求める必要がなく、簡単に現在表示しているトレンドグラフの値から求めることができる。従って、トレンドグラフ表示の機能が大まかなその計測点の変化の傾向のみでなく、統計的に有意な情報を得ることができる。
【００３６】
次に、傾向データ計算手段２１について説明する。傾向データ計算手段２１は、オペレータが所望の入力点の値の傾向を数理的に判断したいときに使用される。オペレータが入力装置１７により「傾向データ計算」機能を要求すると、表示要求手段１８から傾向データ計算機能の要求が発せられ、傾向データ計算手段２１が起動される。傾向計算手段２１は起動がかけられると、オペレータが表示装置１６に現在表示しているトレンドグラフ表示の最も古い時刻の時刻データ及びその計測点の入力点番号データをトレンドグラフ表示手段１４から取得する。
【００３７】
そして、この時刻から現在までの入力点の値データをそれぞれの入力点ごとに取り出し、取り出したデータから最小二乗法計算を行い傾向直線データを各履歴時刻ごとに算出する。これによって、所望の入力点の履歴データから数理的に有意な傾向直線を求めることができる。数理的に求めた傾向直線データＳａは、トレンドグラフ表示手段１４に渡され、図３に示すように当該入力点のトレンドグラフ（遷移データ）Ｓ１の表示に重ね合わせて表示される。
【００３８】
これにより、所望の入力点の履歴データの遷移について、わざわざ他の機能を用いて傾向計算を行い、現在の入力点の値の遷移が数理的に妥当な範囲であるかどうかについて改めて机上計算などを行う必要がなく、簡単に現在の入力点の値の変化が数理的な傾向からみてどのような状態にあるのかを判別できる。従って、トレンドグラフ表示の機能として大まかなその計測点の変化の傾向をとらえるのみでなく、数理的に有意な情報を得ることができる。
【００３９】
次に、区間傾向データ計算手段２２について説明する。区間傾向データ計算手段２２は、オペレータが所望の入力点の値の傾向を所望の区間のみにおいて数理的に判断したいときに使用される。オペレータが入力装置１７により「区間傾向データ計算」機能を要求すると、表示要求手段１８から区間傾向データ計算機能の要求が発せられ、区間傾向データ計算手段２２が起動される。区間傾向データ計算手段２２は起動がかけられると、オペレータに対し入力点の指定を促すと共に所望の区間を設定するための図４に示すような区間時刻設定ポップアップウィンドウＷ２の表示を行う。
【００４０】
オペレータは、指定入力エリアに入力点を入力し、区間開始時刻エリア及び区間終了時刻エリアにそれぞれ区間開始時刻及び区間終了時刻を入力する。区間開始時刻及び区間終了時刻の入力は、トレンドグラフ内のカーソルを移動して設定することも可能となっている。区間時刻指定ポップアップウィンドウＷ２の設定ボタンＢ３は、区間時刻を設定するためのボタンであり、表示ボタンＢ４は計算結果をトレンドグラフに表示するためのボタンである。消去ボタンＢ２は区間時刻設定ホップアップウィンドウＷ２を消去するためのボタンである。
【００４１】
区間傾向データ計算手段２２は、これらの設定情報を基に指定された入力点の指定された区間のデータをヒストリカルデータ保存部１２から取り出し、取り出したデータに最小二乗法計算を行うことによって、その入力点の履歴データから数理的に有意な傾向直線データを求める。求めた区間傾向直線データＳａ１は、図５に示すようにトレンドグラフ表示手段１４により、当該入力点の当該区間Ｔ１〜Ｔ２の入力点のトレンドグラフ（遷移データ）Ｓ１１の表示に重ね合わせて表示される。
【００４２】
これにより、オペレータが選択した区間のみの傾向データをその区間の入力点の実際の遷移データ表示に重ね合わせて表示できるので、当該入力点の値が特定領域においてどのような傾向で遷移しているのかを簡便に判定できる。従って、従来のトレンドグラフ表示の機能が持っていた大まかなその計測点の変化の傾向をとらえる機能のみでなく、数理的に有意な情報を得ることができ、プラント運転制御においてさまざまに応用の可能なデータを簡便に得ることができる。
【００４３】
次に、傾向予測計算手段２３について説明する。傾向予測計算手段２３はオペレータが所望の入力点の値の傾向から予定する到達値（目標値）に至るまでの時間を知りたいときに使用される。
【００４４】
オペレータが入力装置１７により「傾向予測計算」機能を要求すると、表示要求手段１８から傾向予測計算機能の要求が発せられ、傾向予測計算手段２３が起動される。傾向予測計算手段２３は起動がかけられると、オペレータに対し入力点の指定を促すと共に所望の区間及び到達目標値を設定するための図６に示すような傾向予測計算表示ポップアップウィンドウＷ３の表示を行う。
【００４５】
オペレータは、指定入力エリアに入力点を入力し、区間開始時刻エリア及び区間終了時刻エリアにそれぞれ区間開始時刻及び区間終了時刻を入力する。そして、到達目標値エリアに目標値を入力する。区間開始時刻及び区間終了時刻の入力は、トレンドグラフ内のカーソルを移動して設定することも可能となっている。
【００４６】
傾向予測計算表示ポップアップウィンドウＷ３の設定ボタンＢ３は、区間時刻及び目標値を設定するためのボタンであり、予測計算ボタンＢ５は予測計算の開始及び計算結果をトレンドグラフに表示するためのボタンである。消去ボタンＢ２は傾向予測計算表示ホップアップウィンドウＷ３を消去するためのボタンである。
【００４７】
傾向予測計算手段２３は、これらのデータが設定されると、これらのデータを基に指定された入力点の指定された区間のデータをヒストリカルデータ保存部１２から取り出し、取り出したデータに最小二乗法計算を行うことによって、所望の入力点の履歴データから数理的に有意な傾向直線データを求める。そして、求めた傾向直線データに基づいて、図６に示す傾向予測計算表示ポップアップウィンドウＷ３に設定した目標値に到達するまでの時間を計算し、これを現在時刻に足し合わせて目標値到達予測時刻を傾向予測計算表示ポップアップウィンドウＷ２内に表示する。
【００４８】
これにより、オペレータが特定の入力点の状態遷移に基づいて、特定区間の挙動からプラントの特定状態に至る場合の特定入力点の状態値を予測してこの到達目標値に達する時刻を容易に推定することができる。従って、従来のトレンドグラフ表示の機能の持っていた大まかなその計測点の変化の傾向をとらえる機能のみでなく、数理的に有意な情報を基に、現在の状態から所望の状態（目標値）に至るまでの時間を容易に得ることができ、プラント運転制御において応用可能なデータを簡便に得ることができる。
【００４９】
次に、平均計算手段２４について説明する。平均計算手段２４はトレンドグラフ表示中の入力点の平均値を求めたいときに使用される。オペレータが入力装置１７により「平均計算」機能を要求すると、表示要求手段１８から平均計算機能へ要求が発せられ、平均計算手段２４が起動される。平均計算手段２４は起動がかけられると、オペレータが現在表示しているトレンドグラフ表示の最も古い時刻の時刻データ及びその計測点の入力点番号データをトレンドグラフ表示手段１４から取得する。そして、この時刻から現在までの入力点の値データをそれぞれの入力点ごとにヒストリカルデータ保存部１２から取り出し、現在時刻のデータまでの平均値を求める計算を行うことによって、当該入力点ごとの平均値を求める。
【００５０】
平均計算手段２４で求めた平均値データは、図７に示すような平均計算表示ポップアップウィンドウＷ４に表示される。平均計算表示ポップアップウィンドウＷ４の入力点エリアには入力点が表示され、平均値エリアには平均計算手段２４で計算された平均値が表示される。そして、有エリアには、現在表示しているトレンドグラフへの平均値の表示の有無を指定するチェックが入力される。更新ボタンＢ１は、平均値を更新するためのボタンであり、消去ボタンＢ２は平均計算表示ホップアップウィンドウＷ４を消去するためのボタンである。
【００５１】
平均計算表示ポップアップウィンドウＷ４上の有エリアで、現在表示しているトレンドグラフへの表示の有が指定されると、平均直線表示要求及び平均直線データがトレンドグラフ表示手段１４に渡され、図８に示すように当該入力点の変化を示すトレンドグラフＳ１と平均値直線データＳｂとを重ね合せて表示する。
【００５２】
これにより、入力点の履歴データの遷移について、わざわざ他の機能を用いて平均値の計算を行い、現在の入力点の値がどのような推移を経過しているかについて改めて机上計算などを行う必要がなくなる。すなわち、平均計算手段２４により現在の入力点の値の平均値を算出し表示するので、現在の当該入力点の値がどの程度平均値から逸脱しているものなのか容易に判定できる。従って、トレンドグラフ表示の機能として大まかなその計測点の変化の傾向をとらえるのみでなく、数理的に有意な情報を得ることができる。
【００５３】
次に、制限値データ計算手段２５について説明する。制限値データ計算手段２５は、トレンドグラフ表示中の入力点の運転制限値を表示したい場合に使用される。制限値データ計算手段２５は、ヒストリカルデータ保存部１２に収録されたプラントの計測点の履歴データの中から各入力点のデータを取り出し、これに基づいて入力データの運転制限値を計算し運転制限値データ保存部２６に保存する。
【００５４】
いま、オペレータが入力装置１７により「運転制限値表示」機能が要求されたとすると、表示要求手段１８から運転制限値計算機能へ要求が発せられ、運転制限値計算手段２５が起動される。運転制限値計算手段２５は起動がかけられると、オペレータが現在表示しているトレンドグラフ表示の最も古い時刻の時刻データ及びその計測点の入力点番号データをトレンドグラフ表示手段１４から取得する。そして、この時刻から現在までの入力点の値データをそれぞれの入力点ごと取り出し、これに基づいて当該入力点ごとの運転制限値を運転制限値データ保存部２６から取り出し表示する。すなわち、オペレータが入力装置１７により要求したとき、現在表示しているトレンドグラフの時間スパンの中でその入力点の運転制限値データを表示する。
【００５５】
運転制限値データは、図９に示すような運転制限値表示ポップアップウィンドウＷ５に表示される。運転制限値表示ポップアップウィンドウＷ５の入力点エリアには入力点が表示され、運転制限値エリアには制限値データ計算手段２５で計算された運転制限値が表示される。そして、有エリアには、現在表示しているトレンドグラフへの運転制限値の表示の有無を指定するチェックが入力される。更新ボタンＢ１は、運転制限値を更新するためのボタンであり、消去ボタンＢ２は運転制限値表示ホップアップウィンドウＷ５を消去するためのボタンである。
【００５６】
運転制限値表示ホップアップウィンドウＷ５上の有エリアで、現在表示しているトレンドグラフへの表示の有が指定されると、運転制限値表示要求及び運転制限値データがトレンドグラフ表示手段１４に渡され、図１０に示すように当該入力点の変化を示すトレンドグラフＳ１と運転制限値Ｓｃとを重ね合せて表示する。
【００５７】
これにより、現在の入力点の値の運転制限値が容易に表示できる。また入力点の履歴データの遷移に重ね合わせて表示することにより、トレンドグラフ表示スパン内で、プロセス値が運転制限値内であるかどうかを視覚的に容易に把握できる。従って、プラントの運転に際して、オペレータがプラントの運転制御上の操作を最適値に容易に制御することができる。
【００５８】
次に、過去重ね合せ手段２７について説明する。過去重ね合せ手段２７は、オペレータが所望の入力点の過去値（過去トレンドデータ）と比較したいときに使用される。区間データ保存手段２８はヒストリカルデータ保存部１２に収録されたプラントの計測点の履歴データの中から各入力点の入力データを取り出し、これを区間データとして区間データ保存部２９に保存する。すなわち、区間データ保存部２９には過去の区間データが保存される。過去データ重ね合せ手段２７は、オペレータが過去値の表示を入力装置１７により要求したとき、現在表示しているトレンドグラフの時間スパンの中でその入力点の過去の区間データを併せて表示する。
【００５９】
いま、オペレータが入力装置１７により「過去値表示」機能を要求したとすると、表示要求手段１８から過去データ重ね合せ機能へ要求が発せられ、過去データ重ね合せ手段２７が起動される。過去データ重ね合せ手段２７は起動をかけられると、オペレータに対し入力点の指定及び所望の区間を設定するための図１１に示すような過去データ表示設定ポップアップウィンドウＷ６の表示を行う。
【００６０】
オペレータは、指定入力エリアに入力点を入力し、区間開始時刻エリアに区間開始時刻を入力する。過去データ表示設定ポップアップウィンドウＷ６の選択ボタンＢ６は過去データをトレンドグラフに表示するためのボタンであり、消去ボタンＢ２は過去データ表示設定ホップアップウィンドウＷ６を消去するためのボタンである。
【００６１】
オペレータが必要なデータを設定し選択ボタンＢ６を押下すると、過去データ表示設定ポップアップウィンドウＷ６に設定された設定情報を基に、指定された入力点の指定された区間データを区間データ保存部２９から取り出し、また現在表示しているトレンドグラフ表示の最も古い時刻の時刻データをトレンドグラフ表示手段１４から取得し、これに基づいてこの時刻に相当する区間データの時刻を計算する。そして、図１２に示すように現在表示しているトレンドグラフＳ１に、区間開始時刻Ｔ１からその過去の区間データＳｄを重ね合わせて表示する。
【００６２】
これにより、オペレータが特定の入力点の状態遷移について、過去と同区間での挙動を監視する上で、プラントの特定状態における特定入力点の状態監視を容易に行うことができる。従って、従来のトレンドグラフ表示の機能として大まかなその計測点の変化の傾向をとらえるのみでなく、プロセス値が過去の同区間のデータと視覚的に容易に評価・把握できるので、プラントの運転に際してオペレータがプラントの運転制御上の操作を最適値に容易に制御することができる。
【００６３】
次に、イベントマーカ重ね合せ手段３０について説明する。イベントマーカ重ね合せ手段３０はオペレータが入力点の過去のイベントを参照したいときに使用される。ここで、イベントはプラント運転操作上で節となる状態変化であり、例えば発電プラントの運転操作においては、ボイラ点火、タービン通気、発電機併入等である。
【００６４】
イベントマーカ保存手段３１は、ヒストリカルデータ保存部１２に収録されたプラントの計側点の履歴データの中からイベントを取り出し、イベントマーカデータとしてイベントマーカデータ保存部３２に保存する。一方、任意のイベントであればその任意のイベントに関する接点データ変化情報をイベントマーカ保存手段３１に通知してイベントマーカ保存部３２に保存する。
【００６５】
イベントマーカ重ね合せ手段３０は、オペレータが入力装置１７によりイベントの表示要求をしたとき、現在表示しているトレンドグラフの時間スパンの中でイベントの有無を判定し、イベントがあればイベントマーカ保存部３２から該当のイベントマーカを取り出し、トレンドグラフに併せて表示する。
【００６６】
オペレータが入力装置１７により「イベントマーカ表示」機能を要求すると、表示要求手段１８からイベントマーカ重ね合せ機能へ要求が発せられ、イベントマーカ重ね合せ手段３０が起動される。イベントマーカ重ね合せ手段３０は起動がかけられると、オペレータに対し所望の区間を設定するための図１３に示すようなイベントマーカ表示設定ポップアップウィンドウＷ７の表示を行う。
【００６７】
オペレータは、指定入力エリアに入力点を入力し、区間開始時刻エリアに区間開始時刻を入力する。イベントマーカ表示設定ポップアップウィンドウＷ７の選択ボタンＢ６はイベントマーカをトレンドグラフに表示するためのボタンであり、消去ボタンＢ２はイベントマーカ表示設定ホップアップウィンドウＷ７を消去するためのボタンである。
【００６８】
オペレータが必要なデータを設定し選択ボタンＢ６を押下すると、イベントマーカ表示設定ホップアップウィンドウＷ７に設定された設定情報を基に指定された入力点の指定された区間のイベントマーカデータをイベントマーカデータ保存部３２から取り出す。また、現在表示しているトレンドグラフ表示の最も古い時刻の時刻データをトレンドグラフ表示手段１４から取得し、これに基づいてこの時刻に相当する区間データのイベントの有無を判定する。
【００６９】
そして、区間データ内にイベントがある場合には、図１４にて現在表示しているトレンドグラフＳ１への表示にイベントマーカＳｅを重ね合わせて表示する。
図１４ではタービン通気のイベントを表示した場合を示している。
【００７０】
このように、イベントマーカ重ね合せ手段３０により所望の入力点の実際の遷移データ表示にイベントマーカを重ね合わせて表示することができる。従って、従来のトレンドグラフ表示の機能として大まかなその計測点の変化の傾向をとらえるのみでなく、特定の入力点の状態遷移についてプラント運転上のイベントと関連付けて監視できる。
【００７１】
次に、グラフィック詳細表示手段１６の各々の手段について説明する。まず、使用先表示要求手段３４について説明する。使用先表示要求手段３４はグラフィック画面上に表示されている入力点が他のどの画面あるいは機能で使用されているかを検索したい場合に使用される。
【００７２】
ポイント／タグデータベース３５には、グラフィック表示手段１３により表示される画面情報において各表示項目の入力点データの情報が格納され、各機能データベース３６には、各入力点データの他の画面或いは機能で使用されている使用情報が格納されている。使用先表示要求手段３４は、オペレータが入力装置１７により使用先表示の要求をしたとき、ポイント／タグデータベース３５と各機能データベース３６とからグラフィック画面上に表示されている入力点が他のどの画面或いは機能で使用されているかを検索し、表示装置１６に表示する。
【００７３】
オペレータが入力装置１７により「使用先表示」機能の要求および画面上に表示されている表示シンボルの選択を実施したとすると、表示要求手段１８から使用先表示機能へ要求が発せられ、使用先表示要求手段３４が起動される。使用先表示要求手段３４は起動がかけられると、ポイント／タグデータベース３５および各機能データベース３６を参照する。
【００７４】
ポイント／タグデータベース３５はグラフィック画面の各シンボルを表示させる入力点番号の情報を格納するためのものであり、シンボル座標、入力点番号の情報を有する。また、各機能データベース３６は、各入力点がどの画面或いはとの機能で使用されているかの情報を格納するためのものであり、入力点番号、使用先画面番号、使用先他機能データ番号の情報を有する。
【００７５】
使用先表示要求手段３４は、まず、オペレータが選択した表示シンボルの座標とポイント／タグデータベース３５とから当該表示シンボルの可変表示に使用する入力点番号の情報を得る。次に、使用先表示要求手段３４は、ポイント／タグデータベース３５より得た入力点番号について、各機能データベース３６から使用先画面番号および使用先他機能データ番号の情報を検索結果として得る。
【００７６】
使用先表示要求手段３４は、このようにして得た検索結果を取り出し、図１５に示すような使用先データ表示ポップアップウィンドウＷ８に検索結果を表示する。使用先データ表示ポップアップウィンドウＷ８には、オペレータが選択したシンボルを可変表示させるための入力点番号を入力する入力点情報エリア番号と、当該入力点番号の使用先画面番号および使用先他機能データ番号が表示される使用先情報エリアとが表示され、消去ボタンＢ２は使用先データ表示ポップアップウィンドウＷ８を消去するためのボタンである。
【００７７】
このように、オペレータが入力装置１７により「使用先検索表示」機能を要求したとすると、使用先データ表示ホップアップウィンドウＷ８が表示され、現在表示中のグラフィック画面上における表示シンボルを可変表示させるための入力点番号について、使用先画面番号および使用先他機能データ番号などが表示される。従来のプラント監視装置では、プラントからの入力点情報がどの機能で使用されているかどうかを表示することができなかったが、使用先表示要求手段３４により、グラフィック画面上から他の機能の情報を得ることができるので、オペレータは検索結果に基づいて他の画面或いは機能にアクセスすることが可能となる。従って、プラントの監視制御に必要な操作を行うためのオペレータの負荷が軽減でき、かつ迅速な操作を行うことができる。
【００７８】
次に、関連ポイントトレンド表示手段３７について説明する。関連ポイントトレンド表示手段３７はグラフィック画面上に表示されている入力点に関連する入力点を検索したいときに使用される。関連ポイントデータ保存部３８には、グラフィック表示手段１３により表示される画面情報において各表示項目の入力点データおよび当該入力点に関連する入力点データが保存される。関連ポイントトレンド表示手段３７は、オペレータが入力装置１７により要求したとき、関連ポイントデータ保存部３８からグラフィック画面上に表示されている入力点に関連する入力点を検索し、ヒストリカルデータ保存部１２に格納される履歴データから関連入力点についてのグラフ表示を行う。
【００７９】
オペレータが入力装置１７により「関連ポイントトレンド表示」機能の要求および画面上に表示されている表示シンボルの選択を実施したとすると、表示要求手段１８から使用先表示機能へ要求が発せられ、関連ポイントトレンド表示手段３７が起動される。関連ポイントトレンド表示手段３７は起動がかけられると、関連ポイントデータ保存部３８を参照する。
【００８０】
関連ポイントデータ保存部３８はグラフィック画面の各シンボルを表示させる入力点番号の情報および当該入力点に関連する入力点番号の情報を格納するためのものであり、シンボル座標、入力点番号、関連入力点番号の情報を有する。
【００８１】
関連ポイントトレンド表示手段３７は表示シンボルの位置情報と関連ポイントデータ保存部３８とから当該入力点に関連する他の入力点情報を検索し、検索結果を得る。さらに、関連ポイントトレンド表示手段３７は、求めた関連入力点の履歴データをヒストリカルデータ保存部１２から検索し、画面表示スパン分のデータを収集し、収集した履歴データを図１６に示すような関連データ表示ホップアップウィンドウＷ９にグラフ表示する。
【００８２】
関連データ表示ホップアップウィンドウＷ９には、オペレータが選択した入力点が表示データとして、その入力点に関連する入力点が関連データとして表示される。そして、それらのトレンドグラフが表示される。登録ボタンＢ７は関連データを新規に登録したり変更設定するためのボタンであり、消去ボタンＢ２は関連データ表示ホップアップウィンドウＷ９を消去するためのボタンである。
【００８３】
これにより、グラフィック画面によりプラント計測点および機器の情報を監視する上で、当該入力点の情報だけでなく、関連する入力点についても表示することができるので、両者を比較することでオペレータはプラント機器の運転状態をより正確に把握することができる。従って、プラントの運転上、必要な操作を最適かつ迅速に行うことができる。
【００８４】
次に、制御ロジック図表示手段３９について説明する。制御ロジック図表示手段３９は、グラフィック画面上に表示されている機器シンボルと関連付けされた制御ロジック図を検索するときに使用される。ＩＢＤデータ保存部４０には、プラント制御ロジック図が機器シンボルと関連付けられて保存されている。制御ロジック図表示手段３９は、ＩＢＤデータ保存部４０から該当する制御ロジック図を検索し抽出して表示装置１６に表示する。
【００８５】
オペレータが「制御ロジック図（ＩＢＤデータ）表示」機能を要求したとすると、表示要求手段１８から制御ロジック図（ＩＢＤデータ）表示要求が発せられ、制御ロジック図表示手段３９が起動される。
【００８６】
制御ロジック図表示手段３９は起動がかけられると、オペレータが現在表示しているグラフィック画面上の機器データの識別番号Ｋ＊をキーとして、ＩＢＤデータ保存部４０から該当するプラント制御ロジック図を検索する。ＩＢＤデータ保存部４０には、機器シンボルと関連付けて各制御ロジック図にインデックスＩ＊が割り振られて保存されているので、識別番号Ｋ＊と各図面インデックスＩ＊とを照合し、一致する図面を抽出する。検索の結果、抽出された制御ロジック図データを図１７に示すような制御ロジック図表示ポップアップウィンドウＷ１０に表示する。
【００８７】
制御ロジック図表示ホップアップウィンドウＷ１０には、オペレータが選択した機器シンボルと関連付けされた制御ロジック図が表示される。
【００８８】
頁前進ボタンＢ８は制御ロジック図の表示頁を前進させるボタンであり、頁後進ボタンＢ９は制御ロジック図の表示頁を後進させるボタンである。また、目次ボタンＢ１０は制御ロジック図の目次頁を表示するためのボタンである。消去ボタンＢ２は制御ロジック図表示ホップアップウィンドウＷ１０を消去するためのボタンである。
【００８９】
これにより、ＩＢＤデータ保存部４０に蓄積されている機器シンボルに関連する制御ロジック図の情報を得ることができるので、プラントのグラフィック画面図から簡便にプラントの運転に有意な情報を得ることができる。従って、計測点の状態変化情報のみでなく、状態変化の発生要因に関わる有意な情報を得ることができる。
【００９０】
次に、音響制御手段４１について説明する。音響制御手段４１はグラフィック画面上に表示されている機器シンボルの音響データを取り込むときに使用される。音響制御手段４１は、入力装置１７で指定された機器を特定して音響の取り込みを音響データ取込手段４２に指示すると共に、波形解析手段４３に波形の解析を指示する。音響データ取込手段４２は、音響制御手段４１から指定された音響データを集音マイク４４から取り込み、取り込んだ音響を音響出力装置４５に出力する。また、波形解析手段４３は音響データ取込手段４２で取り込んだ音響データの波形解析を行う。
【００９１】
オペレータが入力装置１６より「音響再生／解析」機能を要求したとすると、表示要求手段１８から音響再生／解析表示の要求が発せられる。音響制御手段４１はこれを受けて、音響データ取込手段４２に対しオペレータが現在表示しているグラフィック画面上のシンボルの識別番号Ｓ＊をキーとして、このキーと関連付けられた集音マイク４４に切り替えて、音響を取り込むように指示する。また、波形解析手段４３に対して、取り込んだ音響データの波形解析を指示する。
【００９２】
音響データ取込手段４２は、指定されたグラフィック画面上のシンボルの識別番号Ｓ＊に該当する集音マイク４４に切替えて音響を取り込み、制御室拡声器等の音響出力装置４５から音響を出力する。これにより、オペレータはグラフィック画面で指定したシンボルと関連する音を聞くことができる。また、波形解析手段４３は、音響データ取込手段４２により取り込まれた音響データについて音響制御手段４１から指示された解析方法で解析を行い、解析結果を表示装置１６上の図１８に示すような波形データ表示ホップアップウィンドウＷ１１に表示する。
【００９３】
これにより、オペレータはグラフィック画面で指定したシンボルと関連する音響データの解析結果を把握する。また、オペレータはプラントのグラフィック画面からシンボルとして表示された機器や計測点に関連する音を聞くことができ、さらに音響データの解析結果を把握することができるので、音響に関する詳細なデータを簡便に得ることができる。従って、グラフィック表示による単なるその計測点の状態変化情報のみでなく、プラント運転上に有意な情報を得てプラントの運転上必要とする操作を容易に行うことができる。
【００９４】
【発明の効果】
以上説明したように、本発明によれば、トレンドグラフ表示の機能において大まかなその計測点の変化の傾向のみでなく、統計的に有意な情報を得ることができる。また、プラント監視上使用するプラントのグラフィック画面上に各計測点のデータを数値または機器のシンボルの色替えなどにより表示することができるのみでなく、機器の異常や計測値の異常な変化などの際に、オペレータがこれに対処するため必要な関連する情報を必要に応じて簡単に入手することができる。従って、プラントの運転に際してオペレータの負担を軽減し、かつ最適な運転制御を実施することの可能なプラント監視装置を提供することができる。
【図面の簡単な説明】
【図１】本発明の実施の形態に係るプラント監視装置のブロック構成図。
【図２】本発明の実施の形態における最大・最小値表示ポップアップウィンドウＷ１の説明図。
【図３】本発明の実施の形態における傾向データ計算手段で計算された傾向直線データをトレンドグラフに併せて表示した場合のトレンドグラフ図。
【図４】本発明の実施の形態における区間時刻設定ポップアップウィンドウＷ２の説明図。
【図５】本発明の実施の形態における区間傾向データ計算手段で計算された区間傾向直線データをトレンドグラフに併せて表示した場合のトレンドグラフ図。
【図６】本発明の実施の形態における傾向予測計算表示ポップアップウィンドウＷ３の説明図。
【図７】本発明の実施の形態における平均計算表示ポップアップウィンドウＷ４の説明図。
【図８】本発明の実施の形態における平均計算手段で計算された平均値直線データをトレンドグラフに併せて表示した場合のトレンドグラフ図。
【図９】本発明の実施の形態における運転制限値表示ポップアップウィンドウＷ５の説明図。
【図１０】本発明の実施の形態における制限値データ計算手段で計算された制限値直線データをトレンドグラフに併せて表示した場合のトレンドグラフ図。
【図１１】本発明の実施の形態における過去データ表示設定ポップアップウィンドウＷ６の説明図。
【図１２】本発明の実施の形態における過去データ重ね合せ手段で計算された過去データをトレンドグラフに併せて表示した場合のトレンドグラフ図。
【図１３】本発明の実施の形態におけるイベントマーカ表示設定ポップアップウィンドウＷ７の説明図。
【図１４】本発明の実施の形態におけるイベント重ね合せ手段で算出されたイベントマーカをトレンドグラフに併せて表示した場合のトレンドグラフ図。
【図１５】本発明の実施の形態における使用先データ表示ポップアップウィンドウＷ８の説明図。
【図１６】本発明の実施の形態における関連データ表示ホップアップウィンドウＷ９の説明図。
【図１７】本発明の実施の形態における制御ロジック図表示ポップアップウィンドウＷ１０の説明図。
【図１８】本発明の実施の形態における波形データ表示ホップアップウィンドウＷ１１の説明図。
【符号の説明】
１１…プラントデータ入力装置、１２…ヒストリカルデータ保存部、１３…グラフィック表示手段、１４…トレンドデータ表示手段、１５…トレンドデータ詳細表示手段、１６…グラフィック詳細表示手段、１７…入力装置、１８…表示要求手段、２０…最大・最小データ取得手段、２１…傾向データ計算手段、２２…区間傾向データ計算手段、２３…傾向予測計算手段、２４…平均計算手段、２５…制限値データ計算手段、２６…運転制限値データ保存部、２７…過去データ重ね合せ手段、２８…区間データ保存手段、２９…区間データ保存部、３０…イベントマーカ重ね合せ手段、３１…イベントマーカ保存手段、３２…イベントマーカ保存部、３４…使用先表示要求手段、３５…ポイント／タグデータベース、３６…各機能データベース、３７…関連ポイントトレンド表示手段、３８…関連ポイントデータ保存部、３９…制御ロジック図表示手段、４０…ＩＢＤデータ保存部、４１…音響制御手段、４２…音響データ取込手段、４３…波形解析手段、４４…集音マイク、４５…音響出力装置
【図１】
2004038357.tif 000003
【図２】
2004038357.tif 000004
【図３】
2004038357.tif 000005
【図４】
2004038357.tif 000006
【図５】
2004038357.tif 000007
【図６】
2004038357.tif 000008
【図７】
2004038357.tif 000009
【図８】
2004038357.tif 000010
【図９】
2004038357.tif 000011
【図１０】
2004038357.tif 000012
【図１１】
2004038357.tif 000013
【図１２】
2004038357.tif 000014
【図１３】
2004038357.tif 000015
【図１４】
2004038357.tif 000016
【図１５】
2004038357.tif 000017
【図１６】
2004038357.tif 000018
【図１７】
2004038357.tif 000019
【図１８】
2004038357.tif 000020